(57)【要約】【課題】クッション体が圧縮力を受けて変形するときに、該クッション体がほとんど円形のままで平坦に押し潰されるようにすることで、クリープによるクッション体の塑性変形が進行しても、該クッション体の見栄えを良好に保つ。【解決手段】固定部材に接近してくる可動部材の動きを受け止めて衝撃を吸収するために、固定部材あるいは可動部材のいずれかに形成された取付け孔に挿入して取り付けられるクリップ体２０と、弾性変形によって衝撃を吸収するクッション体１０とを備えたクッションクリップであって、クッション体１０は、中空のドーム形状になっているとともに、その頂部１０ｂの中央に内外に通じる円形の開口１２が設けられている。そして、この開口１２の周縁の肉厚が、他の部分の肉厚よりも大きく設定されている。【選択図】図２
2010001967.tif 000002
【特許請求の範囲】
【請求項１】
固定部材に接近してくる可動部材の動きを受け止めて衝撃を吸収するために、固定部材あるいは可動部材のいずれかに形成された取付け孔に挿入して取り付けられるクリップ体と、弾性変形によって衝撃を吸収するクッション体とを備えたクッションクリップであって、
クッション体は、中空のドーム形状になっているとともに、その頂部の中央に内外に通じる円形の開口が設けられており、該開口の周縁の肉厚が、他の部分の肉厚よりも大きく設定されているクッションクリップ。
【請求項２】
請求項１に記載されたクッションクリップであって、
硬質の樹脂材からなるクリップ体と軟質の樹脂材からなるクッション体とが個別に成形され、かつ、相互が多色成形によって一体的に結合されているクッションクリップ。
【発明の詳細な説明】
【技術分野】
【０００１】
本発明は、例えば自動車のグラブボックスにおいて、そのボックス本体（固定部材）に対するドア（可動部材）の動きを受け止めて、ドアを閉めたときの衝撃を吸収するためのクッションクリップに関する。
【背景技術】
【０００２】
この種のクッションクリップは、特許文献１で開示されているように硬質の樹脂材からなるクリップ体と、軟質の樹脂材からなるクッション体とを備えている。クリップ体は、例えばボックス本体に予め形成されている取付け孔に挿入することで、クッションクリップをボックス本体に取り付けることができる。一方、クッション体は、中空の円筒形状に成形され、ドアを閉めたときの衝撃を受け止めて圧縮方向へ弾性変形することにより、その衝撃を吸収する。
【特許文献１】特開２００７−２２５０９３号公報
【発明の開示】
【発明が解決しようとする課題】
【０００３】
特許文献１で開示されているクッションクリップでは、円筒形状のクッション体が衝撃に伴う圧縮力を受けて変形するとき、円筒の内径を広げる方向の力が加わることとなり、円筒の壁が外方向へ不規則な変形を起こす。その結果、クッション体が平坦に押し潰された状態では、円筒の平面形状が例えば楕円形になり、その形状がクリープによるクッション体の塑性変形によって定常化されると、ドアを開いたときのクッション体の見栄えがわるい。
【０００４】
本発明は、このような課題を解決しようとするもので、その目的は、クッション体が圧縮力を受けて変形するときに、該クッション体がほとんど円形のままで平坦に押し潰されるようにすることで、クリープによるクッション体の塑性変形が進行しても、該クッション体の見栄えを良好に保つことである。
【課題を解決するための手段】
【０００５】
本発明は、上記の目的を達成するためのもので、以下のように構成されている。
第１の発明は、固定部材に接近してくる可動部材の動きを受け止めて衝撃を吸収するために、固定部材あるいは可動部材のいずれかに形成された取付け孔に挿入して取り付けられるクリップ体と、弾性変形によって衝撃を吸収するクッション体とを備えたクッションクリップであって、クッション体は、中空のドーム形状になっているとともに、その頂部の中央に内外に通じる円形の開口が設けられている。そして、この開口の周縁の肉厚が、他の部分の肉厚よりも大きく設定されている。
【０００６】
この構成において、衝撃を吸収するときのクッション体が圧縮力を受けて変形するのに伴い、開口を広げる方向の力が加わるが、開口の周縁の剛性により、その内径がほとんど変化することなく、クッション体が変形することになる。このため、クッション体がほとんど円形のままで平坦に押し潰されることになり、クリープによってクッション体の圧縮に伴う塑性変形が進行しても、該クッション体の見栄えが損なわれない。
【０００７】
第２の発明は、第１の発明において、硬質の樹脂材からなるクリップ体と軟質の樹脂材からなるクッション体とが個別に成形され、かつ、相互が多色成形によって一体的に結合されている。
これにより、クッション部およびクリップ体が、それぞれに適した材質で、かつ、適正に一体化される。
【発明を実施するための最良の形態】
【０００８】
以下、本発明を実施するための最良の形態を、図面を用いて説明する。
図１および図２で示すクッションクリップは、自動車のグローブボックスにおけるボックス本体３０（図２）あるいはドア３４（図４）のいずれかに取り付けられ、ドア３４を閉めたときの衝撃を吸収する。なお、図面で示す実施の形態では、ボックス本体３０にクッションクリップを取り付けた例である。そして、クッションクリップの構成は、エラストマーなどの軟質の樹脂材で成形されたクッション体１０と、ポリプロピレン(PP)などの硬質の樹脂材で成形されたクリップ体２０とに大別される。
【０００９】
クッション体１０は、その全体形状が中空のドーム形状をしており、底部１０ａが閉ざされ、かつ、頂部１０ｂの中央に円形の開口１２が設けられている。ドーム形状を構成するクッション体１０の壁部１０ｃは、底部１０ａ側から頂部１０ｂに向かって肉厚Ｔ１を漸減させている（図２）。ただし、図３の拡大断面図で示すように頂部１０ｂにおける開口１２の周縁については、本来は図３の仮想線の形状であるところを周方向に連続して肉盛りされた形状としている。この結果、開口１２の周縁の肉厚Ｔ２は、壁部１０ｃのどの箇所の肉厚Ｔ１よりも大きく設定されて周縁部の剛性が高められている。また、クッション体１０の壁部１０ｃには、底部１０ａに近い箇所において内外に通じるエア抜き孔１４が開けられている（図１）。
なお、壁部１０ｃの肉厚Ｔ１については、開口１２の周縁の肉厚Ｔ２よりも小さい値で一定寸法にすることも可能である。
【００１０】
クリップ体２０は、その円板形状の基部２０ａから図の下方へ突出した船底形状の係止部２０ｂを有する。そして、クッション体１０とクリップ体２０とは、個々の樹脂材による多色成形によって一体的に結合されている。すなわち、クリップ体２０の基部２０ａがクッション体１０の底部１０ａによって包み込まれた状態で結合されている（図２）。この多色成形により、クッション体１０には衝撃吸収性に適したエラストマーなどを用い、クリップ体２０には結合性に適したPPなどを用いて容易に成形することができる。なお、クリップ体２０の基部２０ａは、その厚み方向に段差をもった円板形状をしており、その段差形状によってクッション体１０の底部１０ａに対する引っ張り方向の結合強度が高められている。
クリップ体２０の係止部２０ｂが、図２で示すボックス本体３０の取付け孔３２に差し込まれると、係止部２０ｂの両側部が内方へ撓みながら取付け孔３２を通過し、該係止部２０ｂの両肩部２０ｃがボックス本体３０の内側において取付け孔３２の縁部に係止する（図２）。これによって、クリップ体２０がボックス本体３０に結合され、結果としてボックス本体３０にクッションクリップが取り付けられる。
【００１１】
前述のように固定部材であるボックス本体３０にクッションクリップが取り付けられ、このボックス本体３０に対して可動部材であるドア３４を閉ざすと、該ドア３４がクッション体１０によって受け止められる。このときのクッション体１０は、図４で示すように頂部１０ｂの側からドア３４による圧縮荷重を受けて押し潰されるように弾性変形し、それによってドア３４が閉じたときの衝撃を吸収する。
なお、クッション体１０が圧縮荷重を受けて弾性変形するときに、開口１２がドア３４で塞がれて中空内の空気を圧縮する場合があるが、空気はエア抜き孔１４から外部に排出され、クッション体１０の弾性特性が阻害されることはない。
【００１２】
このように衝撃吸収のために弾性変形するクッション体１０には、壁部１０ｃが圧縮力を受けて湾曲するように押し撓められるため、それに伴って頂部１０ｂの開口１２を広げる方向の力が加わる。しかしながら、前述したように開口１２の周縁は壁部１０ｃにおいて最も剛性が高いので、クッション体１０の弾性変形に関わらず、開口１２の内径がほとんど変化しない。このことは、壁部１０ｃが全体にわたって均等な形状に変形することになり、ドーム形状のクッション体１０が図５の平面図で示すように、ほとんど円形のままで平坦に押し潰される。このため、圧縮されたときのクッション体１０の形状がクリープによる塑性変形の進行によって定常化されても、ドア３４を開いたときのクッション体１０の見栄えがよい。
【図面の簡単な説明】
【００１３】
【図１】クッションクリップを表した外観斜視図。
【図２】クッションクリップを表した縦断面図。
【図３】図２の一部を拡大して表した断面図。
【図４】クッションクリップのクッション体が変形した状態を表した縦断面図。
【図５】クッションクリップのクッション体が変形した状態を表した平面図。
【符号の説明】
【００１４】
１０ クッション体
１０ｂ  頂部
１２ 開口
２０ クリップ体
３０ ボックス本体（固定部材）
３４ ドア（可動部材）
Ｔ１ 肉厚
Ｔ２ 肉厚
【図１】
2010001967.tif 000003
【図２】
2010001967.tif 000004
【図３】
2010001967.tif 000005
【図４】
2010001967.tif 000006
【図５】
2010001967.tif 000007